(57)【要約】【課題】ディジタルＴＶ放送信号受信装置等の映像音声信号出力機器において、映像音声信号出力機器と表示装置とが別々の部屋にある場合でも、表示装置に現在信号を送信している映像音声信号出力機器の名称をユーザに即座に知らせることができるようにする。【解決手段】受信装置１側からモニタ装置３側に映像信号と音声信号とが出力されているときに、ユーザによりリモコン４のテストキー２４が押下されると、受信装置１は、自機の機種名を表す音声信号をモニタ装置３側のスピーカ６１、６２に出力すると共に、自機の機種名を含む接続情報画像５１の信号を、映像信号に重畳させてモニタ装置３に出力する。これにより、図に示されるように、受信装置１とモニタ装置３とが別々の部屋にある場合でも、自機がモニタ装置３側に現在信号を送信していることを、自機の傍にいるユーザに即座に知らせることができる。【選択図】図６
2005333293.tif 000002
【特許請求の範囲】
【請求項１】
映像信号及び音声信号を再生する再生手段と、
前記再生手段によって再生された映像信号及び音声信号と、自機情報の表示画像の信号とを記憶する記憶手段と、
前記記憶手段に記憶された映像信号に、前記記憶手段に記憶された自機情報の表示画像の信号を重畳させるオンスクリーンディスプレイ手段（以下、ＯＳＤ手段という）と、
前記再生手段、記憶手段、及びＯＳＤ手段に対する制御を行うための制御手段と、
前記制御手段に対して各種の指示を与えるための操作手段と、
前記記憶手段に記憶された映像信号、又は前記ＯＳＤ手段により自機情報の表示画像の信号を重畳された映像信号を出力するための映像信号出力端子と、
前記記憶手段に記憶された音声信号を出力するための音声信号出力端子とを備え、
前記映像信号出力端子から出力された映像信号を液晶ディスプレイ等の表示装置に出力し、前記音声信号出力端子から出力された音声信号を前記表示装置側のスピーカ等の音声出力装置に出力する映像音声信号出力機器において、
前記映像信号出力端子には、ＶＧＡ（Video Graphics Array）端子及びＢＮＣ（Bayonet Neill concelman）端子の少なくともいずれかが含まれ、
前記操作手段は、前記制御手段を介して、前記ＯＳＤ手段に対して、前記記憶手段に記憶された映像信号に、前記記憶手段に記憶された自機情報の表示画像の信号を重畳させるように指示するためのテストキーを有し、
前記記憶手段に記憶された自機情報の表示画像の信号には、自機の機種名を表す機器情報画像の信号と、前記ＶＧＡ端子又はＢＮＣ端子に含まれる赤（Ｒ）、緑（Ｇ）、青（Ｂ）の各出力端子からの出力信号に対応した各色画像を前記表示装置により表示させるための端子接続情報画像の信号とが含まれ、
前記記憶手段は、自機の機種名を表す音声信号をさらに記憶し、
前記映像信号出力端子と前記音声信号出力端子とから映像信号と音声信号とが前記表示装置側に出力されているときに、ユーザにより前記テストキーが押下されると、
前記制御手段は、前記記憶手段に記憶された自機の機種名を表す音声信号を前記音声信号出力端子を介して前記音声出力装置に出力すると共に、前記機器情報画像と前記端子接続情報画像とから構成される自機情報の表示画像の信号を重畳された映像信号を前記映像信号出力端子を介して前記表示装置に出力することを特徴とする映像音声信号出力機器。
【請求項２】
映像信号及び音声信号を再生する再生手段と、
前記再生手段によって再生された映像信号及び音声信号と、自機の機種名等を表す自機情報の表示画像の信号とを記憶する記憶手段と、
前記記憶手段に記憶された映像信号に、前記記憶手段に記憶された自機情報の表示画像の信号を重畳させるオンスクリーンディスプレイ手段（以下、ＯＳＤ手段という）と、
前記再生手段、記憶手段、及びＯＳＤ手段に対する制御を行うための制御手段と、
前記制御手段に対して各種の指示を与えるための操作手段と、
前記記憶手段に記憶された映像信号、又は前記ＯＳＤ手段により自機情報の表示画像の信号を重畳された映像信号を出力するための映像信号出力端子と、
前記記憶手段に記憶された音声信号を出力するための音声信号出力端子とを備え、
前記映像信号出力端子から出力された映像信号を液晶ディスプレイ等の表示装置に出力し、前記音声信号出力端子から出力された音声信号を前記表示装置側のスピーカ等の音声出力装置に出力する映像音声信号出力機器において、
前記記憶手段は、自機の機種名等を表す自機情報の音声信号をさらに記憶し、
前記映像信号出力端子と前記音声信号出力端子とから映像信号と音声信号とが前記表示装置側に出力されているときに、ユーザが前記操作手段を用いて自機情報を前記表示装置側に出力するように指示すると、
前記制御手段は、前記自機情報の表示画像の信号を重畳された映像信号を前記映像信号出力端子を介して前記表示装置に出力すると共に、前記記憶手段に記憶された自機情報の音声信号を前記音声信号出力端子を介して前記音声出力装置に出力することを特徴とする映像音声信号出力機器。
【請求項３】
前記映像信号出力端子には、複数のコンポーネント信号出力端子が含まれており、これらの各コンポーネント信号出力端子は、それぞれ異なる色の信号を出力するための端子であり、
前記記憶手段に記憶された自機情報の表示画像の信号には、自機の機種名を表す機器情報画像の信号と、前記各コンポーネント信号出力端子からの各色の出力信号に対応した各色の画像を前記表示装置により直接表示させるための端子接続情報画像の信号とが含まれていることを特徴とする請求項２に記載の映像音声信号出力機器。
【請求項４】
映像信号及び音声信号を再生する再生手段と、
前記再生手段によって再生された映像信号及び音声信号と、自機情報の表示画像の信号とを記憶する記憶手段と、
前記記憶手段に記憶された映像信号に、前記記憶手段に記憶された自機情報の表示画像の信号を重畳させるオンスクリーンディスプレイ手段（以下、ＯＳＤ手段という）と、
前記再生手段、記憶手段、及びＯＳＤ手段に対する制御を行うための制御手段と、
前記制御手段に対して各種の指示を与えるための操作手段と、
前記記憶手段に記憶された映像信号、又は前記ＯＳＤ手段により自機情報の表示画像の信号を重畳された映像信号を出力するための映像信号出力端子と、
前記記憶手段に記憶された音声信号を出力するための音声信号出力端子とを備え、
前記映像信号出力端子から出力された映像信号を液晶ディスプレイ等の表示装置に出力し、前記音声信号出力端子から出力された音声信号を前記表示装置側の左右一対のスピーカに出力する映像音声信号出力機器において、
前記音声信号出力端子は、前記表示装置側の左スピーカに音声信号を出力するための左側音声信号出力端子と、前記表示装置側の右スピーカに音声信号を出力するための右側音声信号出力端子とを含み、
前記記憶手段は、前記左側音声信号出力端子に出力する音声を識別するための左側音声識別用音声信号と、前記右側音声信号出力端子に出力する音声を識別するための右側音声識別用音声信号とをさらに記憶し、
前記映像信号出力端子と前記音声信号出力端子とから映像信号と音声信号とが前記表示装置側に出力されているときに、ユーザが前記操作手段を用いて自機情報を前記表示装置側に出力するように指示すると、
前記制御手段は、前記自機情報の表示画像の信号を重畳された映像信号を前記映像信号出力端子を介して前記表示装置に出力すると共に、前記記憶手段に記憶された左側音声識別用音声信号を前記左側音声信号出力端子に出力し、前記記憶手段に記憶された右側音声識別用音声信号を前記右側音声信号出力端子に出力することを特徴とする映像音声信号出力機器。
【発明の詳細な説明】
【技術分野】
【０００１】
本発明は、液晶ディスプレイ等の表示装置に映像信号や音声信号を出力する、ディジタルＴＶ放送信号受信装置やＤＶＤレコーダ等の映像音声信号出力機器に関する。
【背景技術】
【０００２】
従来の映像音声信号出力機器を含むＡＶ（Audio Visual）システムにおいて、システム内の映像音声信号出力機器に関する情報を表示装置の画面上に表示する機能を有すると共に、各入力端子からの入力信号の有無を検知して、映像信号や音声信号が入力されていないときに、接続確認を促すためのメッセージを表示装置の画面上に表示するようにしたものが知られている（例えば、特許文献１参照）。また、この種のシステムにおいて、システム内の表示装置に、現在信号を送信しているＡＶ機器の名称をＯＳＤ（On Screen Display）表示するようにしたものが知られている（例えば、特許文献２参照）。さらにまた、テレビとビデオとを含むＡＶシステムにおいて、テレビとビデオとの間における誤配線を検知して、テレビ側のスピーカから警告音を発すると共に、テレビ側のＣＲＴ上に「誤配線」という文字をＯＳＤ表示するようにしたものが知られている（例えば、特許文献３参照）。
【０００３】
しかしながら、上記特許文献１に示される発明では、表示装置に現在信号を送信している映像音声信号出力機器の名称を知ることができず、また、表示装置側で使用している映像信号入力端子又は音声信号入力端子が複数であって、いずれかの入力端子からの信号が入力されていない場合には、どの入力端子からの信号が入力されていないかを知ることができない。これに対して、上記特許文献２に示される発明によれば、映像音声信号出力機器と表示装置とが同じ部屋にある場合には、表示装置に現在信号を送信している映像音声信号出力機器の名称をユーザに即座に知らせることができるが、映像音声信号出力機器と表示装置とが別々の部屋にある場合には、表示装置に現在信号を送信している映像音声信号出力機器の名称をユーザに即座に知らせることができないという問題があった。また、上記特許文献３に示される発明では、上記の問題を解決することはできない。
【特許文献１】特開平４−１７２８８１号公報
【特許文献２】特開平１１−２３２８５３号公報
【特許文献３】特開平３−６６０８９号公報
【発明の開示】
【発明が解決しようとする課題】
【０００４】
本発明は、上記の問題を解決するためになされたものであり、映像音声信号出力機器と表示装置とが別々の部屋にある場合でも、表示装置に現在信号を送信している映像音声信号出力機器の名称をユーザに即座に知らせることができ、また、表示装置側で使用している映像信号入力端子又は音声信号入力端子が複数であって、いずれかの入力端子からの信号が入力されていない場合でも、どの入力端子からの信号が入力されていないかを知ることが可能な映像音声信号出力機器を提供することを目的とする。
【課題を解決するための手段】
【０００５】
上記目的を達成するために請求項１の発明は、映像信号及び音声信号を再生する再生手段と、再生手段によって再生された映像信号及び音声信号と、自機情報の表示画像の信号とを記憶する記憶手段と、記憶手段に記憶された映像信号に、記憶手段に記憶された自機情報の表示画像の信号を重畳させるオンスクリーンディスプレイ手段（以下、ＯＳＤ手段という）と、再生手段、記憶手段、及びＯＳＤ手段に対する制御を行うための制御手段と、制御手段に対して各種の指示を与えるための操作手段と、記憶手段に記憶された映像信号、又はＯＳＤ手段により自機情報の表示画像の信号を重畳された映像信号を出力するための映像信号出力端子と、記憶手段に記憶された音声信号を出力するための音声信号出力端子とを備え、映像信号出力端子から出力された映像信号を液晶ディスプレイ等の表示装置に出力し、音声信号出力端子から出力された音声信号を表示装置側のスピーカ等の音声出力装置に出力する映像音声信号出力機器において、映像信号出力端子には、ＶＧＡ（Video Graphics Array）端子及びＢＮＣ（Bayonet Neill concelman）端子の少なくともいずれかが含まれ、操作手段は、制御手段を介して、ＯＳＤ手段に対して、記憶手段に記憶された映像信号に、記憶手段に記憶された自機情報の表示画像の信号を重畳させるように指示するためのテストキーを有し、記憶手段に記憶された自機情報の表示画像の信号には、自機の機種名を表す機器情報画像の信号と、ＶＧＡ端子又はＢＮＣ端子に含まれる赤（Ｒ）、緑（Ｇ）、青（Ｂ）の各出力端子からの出力信号に対応した各色画像を表示装置により表示させるための端子接続情報画像の信号とが含まれ、記憶手段は、自機の機種名を表す音声信号をさらに記憶し、映像信号出力端子と音声信号出力端子とから映像信号と音声信号とが表示装置側に出力されているときに、ユーザによりテストキーが押下されると、制御手段は、記憶手段に記憶された自機の機種名を表す音声信号を音声信号出力端子を介して音声出力装置に出力すると共に、機器情報画像と端子接続情報画像とから構成される自機情報の表示画像の信号を重畳された映像信号を映像信号出力端子を介して表示装置に出力するものである。
【０００６】
請求項２の発明は、映像信号及び音声信号を再生する再生手段と、再生手段によって再生された映像信号及び音声信号と、自機の機種名等を表す自機情報の表示画像の信号とを記憶する記憶手段と、記憶手段に記憶された映像信号に、記憶手段に記憶された自機情報の表示画像の信号を重畳させるオンスクリーンディスプレイ手段（以下、ＯＳＤ手段という）と、再生手段、記憶手段、及びＯＳＤ手段に対する制御を行うための制御手段と、制御手段に対して各種の指示を与えるための操作手段と、記憶手段に記憶された映像信号、又はＯＳＤ手段により自機情報の表示画像の信号を重畳された映像信号を出力するための映像信号出力端子と、記憶手段に記憶された音声信号を出力するための音声信号出力端子とを備え、映像信号出力端子から出力された映像信号を液晶ディスプレイ等の表示装置に出力し、音声信号出力端子から出力された音声信号を表示装置側のスピーカ等の音声出力装置に出力する映像音声信号出力機器において、記憶手段は、自機の機種名等を表す自機情報の音声信号をさらに記憶し、映像信号出力端子と音声信号出力端子とから映像信号と音声信号とが表示装置側に出力されているときに、ユーザが操作手段を用いて自機情報を表示装置側に出力するように指示すると、制御手段は、自機情報の表示画像の信号を重畳された映像信号を映像信号出力端子を介して表示装置に出力すると共に、記憶手段に記憶された自機情報の音声信号を音声信号出力端子を介して音声出力装置に出力するものである。
【０００７】
請求項３の発明は、請求項２に記載の映像音声信号出力機器において、映像信号出力端子には、複数のコンポーネント信号出力端子が含まれており、これらの各コンポーネント信号出力端子は、それぞれ異なる色の信号を出力するための端子であり、記憶手段に記憶された自機情報の表示画像の信号には、自機の機種名を表す機器情報画像の信号と、各コンポーネント信号出力端子からの各色の出力信号に対応した各色の画像を表示装置により直接表示させるための端子接続情報画像の信号とが含まれているものである。
【０００８】
請求項４の発明は、映像信号及び音声信号を再生する再生手段と、再生手段によって再生された映像信号及び音声信号と、自機情報の表示画像の信号とを記憶する記憶手段と、記憶手段に記憶された映像信号に、記憶手段に記憶された自機情報の表示画像の信号を重畳させるオンスクリーンディスプレイ手段（以下、ＯＳＤ手段という）と、再生手段、記憶手段、及びＯＳＤ手段に対する制御を行うための制御手段と、制御手段に対して各種の指示を与えるための操作手段と、記憶手段に記憶された映像信号、又はＯＳＤ手段により自機情報の表示画像の信号を重畳された映像信号を出力するための映像信号出力端子と、記憶手段に記憶された音声信号を出力するための音声信号出力端子とを備え、映像信号出力端子から出力された映像信号を液晶ディスプレイ等の表示装置に出力し、音声信号出力端子から出力された音声信号を表示装置側の左右一対のスピーカに出力する映像音声信号出力機器において、音声信号出力端子は、表示装置側の左スピーカに音声信号を出力するための左側音声信号出力端子と、表示装置側の右スピーカに音声信号を出力するための右側音声信号出力端子とを含み、記憶手段は、左側音声信号出力端子に出力する音声を識別するための左側音声識別用音声信号と、右側音声信号出力端子に出力する音声を識別するための右側音声識別用音声信号とをさらに記憶し、映像信号出力端子と音声信号出力端子とから映像信号と音声信号とが表示装置側に出力されているときに、ユーザが操作手段を用いて自機情報を表示装置側に出力するように指示すると、制御手段は、自機情報の表示画像の信号を重畳された映像信号を映像信号出力端子を介して表示装置に出力すると共に、記憶手段に記憶された左側音声識別用音声信号を左側音声信号出力端子に出力し、記憶手段に記憶された右側音声識別用音声信号を右側音声信号出力端子に出力するものである。
【発明の効果】
【０００９】
請求項１の発明によれば、映像信号出力端子と音声信号出力端子とから映像信号と音声信号とが表示装置側に出力されているときに、ユーザによりテストキーが押下されると、自機の機種名を含む自機情報の表示画像の信号が映像信号に重畳されて表示装置に出力されると共に、自機の機種名を表す音声信号が音声出力装置に出力される。これにより、表示装置に現在信号を送信している映像音声信号出力機器の名称を、映像だけではなく、音声を用いてユーザに知らせることができるので、映像音声信号出力機器と表示装置とが別々の部屋にある場合でも、表示装置に現在信号を送信している映像音声信号出力機器の名称を、映像音声信号出力機器の傍にいるユーザに即座に知らせることができる。また、映像信号出力端子と音声信号出力端子とから映像信号と音声信号とが表示装置側に出力されているときに、ユーザによりテストキーが押下されると、自機の機種名を表す機器情報画像の信号と、赤（Ｒ）、緑（Ｇ）、青（Ｂ）の各出力端子からの出力信号に対応した各色画像を表示装置により表示させるための端子接続情報画像の信号とが、映像信号に重畳されて表示装置に出力される。これにより、例えば、上記のＲ、Ｇ、Ｂの各出力端子からの出力信号を入力するために表示装置側に設けられた映像信号入力端子が複数であって、いずれかの入力端子からの信号が入力されていない場合でも、ユーザが、どの入力端子からの信号が入力されていないかを、実際の入力端子の配線を確認しないで、表示装置の画面だけを見て確認することができる。
【００１０】
請求項２の発明によれば、映像信号出力端子と音声信号出力端子とから映像信号と音声信号とが表示装置側に出力されているときに、ユーザが操作手段を用いて自機情報を表示装置側に出力するように指示すると、自機情報の表示画像の信号が映像信号に重畳されて表示装置に出力されると共に、自機情報の音声信号が音声出力装置に出力される。これにより、表示装置に現在信号を送信している映像音声信号出力機器に関する自機情報を、映像だけではなく、音声を用いてユーザに知らせることができるので、映像音声信号出力機器と表示装置とが別々の部屋にある場合でも、表示装置に現在信号を送信している映像音声信号出力機器がどの機器であるかを、映像音声信号出力機器の傍にいるユーザに即座に知らせることができる。
【００１１】
請求項３の発明によれば、映像信号出力端子と音声信号出力端子とから映像信号と音声信号とが表示装置側に出力されているときに、ユーザが操作手段を用いて自機情報を表示装置側に出力するように指示すると、自機の機種名を表す機器情報画像の信号と、各コンポーネント信号出力端子からの各色の出力信号に対応した各色の画像を表示装置により表示させるための端子接続情報画像の信号とが、映像信号に重畳されて表示装置に出力される。これにより、例えば、上記の複数のコンポーネント信号出力端子に対応する表示装置側の映像信号入力端子が複数であって、いずれかの入力端子からの信号が入力されていない場合でも、ユーザが、どの入力端子からの信号が入力されていないかを、実際の入力端子の配線を確認しないで、表示装置の画面だけを見て確認することができる。
【００１２】
請求項４の発明によれば、映像信号出力端子と音声信号出力端子とから映像信号と音声信号とが表示装置側に出力されているときに、ユーザが操作手段を用いて自機情報を表示装置側に出力するように指示すると、自機情報の表示画像の信号が映像信号に重畳されて表示装置に出力されると共に、左側音声識別用音声信号と右側音声識別用音声信号とが、それぞれ左側音声信号出力端子と右側音声信号出力端子とから出力される。これにより、表示装置に現在信号を送信している映像音声信号出力機器に関する自機情報を、映像でユーザに知らせることができる。また、上記の映像音声信号出力機器の左側及び右側の音声信号出力端子に対応する表示装置の左側及び右側の音声信号入力端子のいずれかの端子からの信号が入力されていない場合でも、例えば、左側音声識別用音声信号の表す音声を「左」とし、右側音声識別用音声信号の表す音声を「右」とすることにより、ユーザが、表示装置側におけるどの音声信号入力端子からの信号が入力されていないかを、実際の入力端子の配線を確認しないで、音声を聞くだけで確認することができる。
【発明を実施するための最良の形態】
【００１３】
本発明を実施するための最良の形態について図面を参照して説明する。本発明は、液晶ディスプレイ等の表示装置に映像信号や音声信号を出力する、ディジタルＴＶ放送信号受信装置やＤＶＤ（Digital Versatile Disc）レコーダ等の映像音声信号出力機器に関するものであり、映像音声信号出力機器と表示装置とが別々の部屋にある場合でも、表示装置に現在信号を送信している映像音声信号出力機器の名称をユーザに即座に知らせることができるようにしたものである。なお、以下に記載した実施形態は、本発明を網羅するものではなく、本発明は、下記の形態だけに限定されない。
【００１４】
図１は、第１の実施形態による映像音声信号出力機器の構成を示す。第１の実施形態では、本発明の映像音声信号出力機器がディジタルＴＶ放送信号受信装置である場合の例を示す。第１の実施形態のディジタルＴＶ放送信号受信装置（以下、受信装置と略す）１は、主に請求項１乃至３に対応するものである。この受信装置１は、アンテナ２に接続されており、ＴＶ放送信号を受信するチューナ１１、チューナ１１で受信したディジタルＴＶ放送信号に対して所定の信号処理を行い、復号化するＡＴＳＣ（Advanced Televison System Committee）フロントエンド１２、チューナ１１で受信したアナログＴＶ放送信号を復号化するＮＴＳＣ（National Television System Committee）デコーダ１３、ＭＰＥＧ（Motion Picture Experts Group）圧縮されたＴＶ放送信号をデコードして映像信号や音声信号を再生するＭＰＥＧデコーダ１４、再生された映像信号に自機情報等の表示画像の信号を重畳させるオンスクリーンディスプレイ部（以下、ＯＳＤ部という）１５（ＯＳＤ手段）、ＡＴＳＣフロントエンド１２やＮＴＳＣデコーダ１３等を制御する制御部１６（制御手段）、再生された映像信号や音声信号を一時的に記憶し、また自機情報の表示画像の信号や自機の機種名を表す音声信号等を記憶するメモリ（記憶手段）１７等より構成されている。上記のメモリ１７に記憶された自機情報の表示画像の信号には、自機の機種名を表す機器情報画像の信号と、下記のＶＧＡ（Video Graphics Array）端子（図２参照）に含まれる赤（Ｒ）、緑（Ｇ）、青（Ｂ）の各出力端子からの出力信号をモニタ装置３（表示装置）により直接表示させるための端子接続情報画像の信号とが含まれている。また、受信装置１は、リーモートコントローラ（以下、リモコンと略す）４（操作手段）からの赤外線信号を受信するための赤外線信号受信部１８を有している。
【００１５】
上記のリモコン４は、装置本体の制御部１６に対して各種の指示を与えるためのものであり、各種のキーからなるキー部２１と赤外線信号発信部２２とを有している。キー部２１には、電源キー２３、数字入力用のキー、及びカーソル移動キーに加えて、ＯＳＤ部１５に対して、メモリ１７に記憶された自機情報の表示画像の信号を映像信号に重畳させるように指示するためのテストキー２４が配設されている。
【００１６】
上記のＭＰＥＧデコーダ１４により再生された映像信号は、ＯＳＤ部１５を介してモニタ装置３に出力され、また、ＭＰＥＧデコーダ１４により再生された音声信号は、モニタ装置３側のスピーカに出力される。なお、主にＭＰＥＧデコーダ１４が、請求項における再生手段としての機能を果たす。また、ディジタルＴＶ放送では、ユーザ側の受信装置１から放送局に向けてデータの送信が可能であるが、本発明とは直接関係がないので、その説明を省略する。
【００１７】
次に、図２を参照して、上記の受信装置１の背面側に設けられた各端子について説明する。受信装置１の背面側には、モニタ装置３にデジタル形式の映像信号を出力するためのＤＶＩ（Digital Visual Interface）端子３１、コンピュータとディスプレイとを接続するための一般的な端子であるＶＧＡ端子３２、同軸デジタル音声信号出力端子３３、左アナログ音声信号出力端子３４、右アナログ音声信号出力端子３５等が配設されている。上記のＶＧＡ端子３２は、１５個の出力端子から構成され、これらの各出力端子は、アナログＲＧＢ信号、水平同期信号、垂直同期信号及びグランドに割り当てられている。ＶＧＡ端子３２とモニタ装置３側の映像入力端子との間の接続には、ケーブル４１が用いられる。このケーブル４１のＶＧＡ端子３２側のコネクタ部４２は、Ｄ−Ｓｕｂ１５ピンで、ピンは５本ずつ３段に並べられている。また、ケーブル４１のモニタ装置３側のコネクタは、赤（Ｒ）信号出力用のコネクタ４３、緑（Ｇ）信号出力用のコネクタ４４、青（Ｂ）信号出力用のコネクタ４５、黒信号出力用のコネクタ４６、及び白信号出力用のコネクタ４７に分かれている。
【００１８】
次に、上記の受信装置１からモニタ装置３に出力される自機情報の表示画像について説明する。受信装置１側からモニタ装置３側に映像信号と音声信号とが出力されているときに、ユーザによりリモコン４のテストキー２４が押下されると、受信装置１側の制御部１６は、メモリ１７に記憶された自機の機種名を表す音声信号を左アナログ音声信号出力端子３４及び右アナログ音声信号出力端子３５を介してモニタ装置３側のスピーカ（図５中の６１、６２参照）に出力すると共に、図３（ａ）及び図４（ａ）（ｂ）（ｃ）（ｄ）に示されるように、自機の機種名を表す機器情報画像５２と端子接続情報画像５３とから構成される接続情報画像５１（請求項における自機情報の表示画像）の信号を、映像信号に重畳させてモニタ装置３に出力する。上記の端子接続情報画像５３は、受信装置１側のＶＧＡ端子３２に含まれるＲ、Ｇ、Ｂの各出力端子からの出力信号をモニタ装置３により直接表示させるための画像である。
【００１９】
また、受信装置１側の制御部１６が、自機がＶＧＡ端子３２を介してモニタ装置３に接続されていると検知したときは、図３（ａ）及び図４（ａ）（ｂ）（ｃ）（ｄ）に示されるように、自機の機種名を表す機器情報画像５２と端子接続情報画像５３とから構成される接続情報画像５１の信号を映像信号に重畳させてモニタ装置３に出力し、自機がＶＧＡ端子３２を介してモニタ装置３に接続されていると検知しなかったときは、図３（ｂ）に示されるように、自機の機種名を表す機器情報画像５２のみから構成される接続情報画像５１の信号を、映像信号に重畳させてモニタ装置３に出力するようにしてもよい。ここで、自機がＶＧＡ端子３２を介してモニタ装置３に接続されているか否かを検知する方法としては、以下の方法が考えられる。すなわち、受信装置１側に現在使用中の映像信号出力端子の種類を判別するためのスイッチを設けておき、受信装置１がＶＧＡ端子３２を介してモニタ装置３に接続されているときは、ユーザが上記のスイッチをオンにし、受信装置１が他の端子（例えば、Ｙ（輝度信号）、ＰB（青色差信号）、ＰR（赤色差信号）の信号を出力するコンポーネント信号出力端子）を介してモニタ装置３に接続されているときは、ユーザが上記のスイッチをオフにするようにさせる。これにより、受信装置１側の制御部１６は、上記のスイッチを介して入力される信号のオン／オフに基づいて、自機がＶＧＡ端子３２を介してモニタ装置３に接続されているか否かを容易に検知することができる。
【００２０】
次に、図４（ａ）（ｂ）（ｃ）（ｄ）を参照して、受信装置１がＶＧＡ端子３２を介してモニタ装置３に接続されている場合における接続情報画像５１について説明する。端子接続情報画像５３中のR画像５４、Ｇ画像５５、Ｂ画像５６には、それぞれ図２に示されるＲ信号出力用のコネクタ４３、Ｇ信号出力用のコネクタ４４、Ｂ信号出力用のコネクタ４５からの各入力信号に対応した各色画像が表示される。従って、受信装置１側のＶＧＡ端子３２にケーブル４１のコネクタ部４２が正常に接続され、モニタ装置３側のＲ、Ｇ、Ｂの各映像入力端子にケーブル４１のコネクタ４３、４４、４５が正常に接続されており、しかも、ケーブル４１が断線していない場合には、図４（ａ）に示されるように、R画像５４、Ｇ画像５５、及びＢ画像５６が表示される。R画像５４は、赤色で表示され、Ｇ画像５５は、緑色で表示され、Ｂ画像５６は、青色で表示される。これに対して、モニタ装置３側のＲの映像入力端子にケーブル４１のコネクタ４３が接続されていない場合や、ケーブル４１におけるR信号を送信する部分が断線している場合には、図４（ｂ）に示されるように、R画像５４が表示されず、Ｇ画像５５とＢ画像５６のみが表示される。また、モニタ装置３側のＧの映像入力端子にケーブル４１のコネクタ４４が接続されていない場合や、ケーブル４１におけるＧ信号を送信する部分が断線している場合には、図４（ｃ）に示されるように、Ｇ画像５５が表示されず、R画像５４とＢ画像５６のみが表示される。さらにまた、モニタ装置３側のＢの映像入力端子にケーブル４１のコネクタ４５が接続されていない場合や、ケーブル４１におけるＢ信号を送信する部分が断線している場合には、図４（ｄ）に示されるように、Ｂ画像５６が表示されず、R画像５４とＧ画像５５のみが表示される。
【００２１】
上記のように、接続情報画像５１中にＲ、Ｇ、Ｂの入力信号に対応した画像５４、５５、５６を表示するようにしたことにより、受信装置１がＶＧＡ端子３２を介してモニタ装置３に接続されている場合に、いずれかの入力端子からの信号が入力されていないときでも、ユーザが、どの入力端子からの信号が入力されていないかを、実際のモニタ装置３側の入力端子に接続されるコネクタ４３乃至４５の配線を確認しないで、モニタ装置３の画面だけを見て確認することができる。
【００２２】
また、受信装置１が、ユーザによりリモコン４のテストキー２４が押下されたときに、モニタ装置３側に自機の機種名を表す機器情報画像５２と自機の機種名を表す音声信号とを出力するようにしたことにより、下記のような効果が生じる。すなわち、図５に示されるように、モニタ装置３に３種類の映像音声信号出力機器（受信装置１とＤＶＤビデオレコーダ６４とデジタルビデオレコーダ６５）が接続されており、現在、どの映像音声信号出力機器がモニタ装置３に映像信号を出力しているかが分からない場合でも、ユーザにより受信装置１のリモコン４のテストキー２４が押下されると、受信装置１がモニタ装置３に映像信号を出力している場合には、モニタ装置３に少なくとも受信装置１の機種名を表す機器情報画像５２が出力され、また、モニタ装置３側のスピーカ６１、６２に受信装置１の機種名を表す音声信号が出力される。従って、同様な機能を受信装置１だけではなく、ＤＶＤビデオレコーダ６４とデジタルビデオレコーダ６５とにも持たせることにより、ユーザが、現在、どの映像音声信号出力機器がモニタ装置３に映像信号を出力しているかを判別することができる。なお、図５では、接続情報画像５１がモニタ装置３の画面上に通常表示されているが、実際には、接続情報画像５１は、図４（ａ）と同じように、白抜き文字で表示される。
【００２３】
さらにまた、上記のように、ユーザによりリモコン４のテストキー２４が押下されると、受信装置１が、モニタ装置３側に自機の名称を、映像だけではなく、音声を用いてユーザに知らせるようにしたことにより、図６に示されるように、受信装置１とモニタ装置３とが別々の部屋にある場合でも、自機がモニタ装置３側に現在信号を送信していることを、自機の傍にいるユーザに即座に知らせることができる。また、図６に示されるように、受信装置１から信号を送信可能なモニタ装置３が複数ある場合でも、該当の受信装置１がどちらのモニタ装置３に現在信号を送信しているかを、自機の傍にいるユーザに即座に知らせることができる。なお、図に示されるＡＶシステムの場合は、部屋Ａの受信装置１から部屋Ｂ、Ｃのモニタ装置３への映像信号と音声信号の送信は、無線により行われる。また、図６では、接続情報画像５１がモニタ装置３の画面上に通常表示されているが、実際には、接続情報画像５１は、図４（ａ）と同じように、白抜き文字で表示される。
【００２４】
図７は、第２の実施形態による受信装置１の構成を示す。第２の実施形態の受信装置１は、主に請求項４に対応するものであり、第１の実施形態の受信装置１と同様な構成を有している。この受信装置１の左アナログ音声信号出力端子３４（図２参照：請求項４における左側音声信号出力端子）は、ケーブル６６を介してモニタ装置３側のスピーカ６１と接続されており、また、受信装置１の右アナログ音声信号出力端子３５（図２参照：請求項４における右側音声信号出力端子）は、ケーブル６７を介してモニタ装置３側のスピーカ６２と接続されている。また、この受信装置１のメモリ１７（図１参照）には、左アナログ音声信号出力端子３４に出力する音声を識別するための左側音声識別用音声信号と、右アナログ音声信号出力端子３５に出力する音声を識別するための右側音声識別用音声信号とが記憶されている。
【００２５】
上記の受信装置１側からモニタ装置３側に映像信号と音声信号とが出力されているときに、ユーザがリモコン４のテストキー２４を押下すると、受信装置１の制御部１６は、上記の接続情報画像５１の信号をモニタ装置３側に出力すると共に、メモリ１７に記憶された左側音声識別用音声信号と右側音声識別用音声信号とを、それぞれ左アナログ音声信号出力端子３４と右アナログ音声信号出力端子３５とに出力する。左側音声識別用音声信号は、例えば、「左、左、左」という音声や、「左側端子が接続されています」という音声の信号であり、右側音声識別用音声信号も同様である。このような左側音声識別用音声信号と右側音声識別用音声信号とを左アナログ音声信号出力端子３４と右アナログ音声信号出力端子３５とから出力することで、スピーカ６１又はスピーカ６２への音声信号が入力されていない場合でも、ユーザが、どのスピーカへの信号が入力されていないかを、実際のスピーカ６１、６２への配線を確認しないで、音声を聞くだけで確認することができる。
【００２６】
なお、本発明は、上記実施形態に限られるものではなく、様々な変形が可能である。例えば、上記第１の実施形態では、受信装置側の映像信号出力端子にＶＧＡ端子を用いた場合の例を示したが、受信装置側の映像信号出力端子として、ＢＮＣ（Bayonet Neill concelman）端子等のコンポーネント信号出力端子を用いてもよい。また、第１の実施形態では、自機情報の表示画像として、自機の機種名を表す機器情報画像５２と端子接続情報画像５３とから構成される接続情報画像５１を用いた場合の例を示したが、自機情報の表示画像は、これに限られず、例えば、自機のタイプを表す表示画像であってもよい。また、１つのモニタ装置に同じ機種名の映像音声信号出力機器が複数接続されている場合に、これらの映像音声信号出力機器の各テストキーが押下されると、異なる表示画像又は音声がモニタ側に出力されるようにしてもよい。これにより、ユーザが、同じ機種名の映像音声信号出力機器のうち、どの映像音声信号出力機器からの映像信号や音声信号がモニタ側に出力されているかを容易に知ることができる。さらにまた、上記第２の実施形態では、ユーザがリモコン４のテストキー２４を押下すると、受信装置１の制御部１６が、左側音声識別用音声信号と右側音声識別用音声信号とに加えて、接続情報画像５１の信号をモニタ装置３側に出力するようにしたが、受信装置の制御部が、左側音声識別用音声信号と右側音声識別用音声信号のみをモニタ装置側に出力するようにしてもよい。
【図面の簡単な説明】
【００２７】
【図１】本発明の第１の実施形態による映像音声信号出力機器の構成図。
【図２】上記映像音声信号出力機器の背面側に設けられた各端子を示す図。
【図３】（ａ）（ｂ）は、接続情報画像（自機情報の表示画像）の例を示す図。
【図４】（ａ）（ｂ）（ｃ）（ｄ）は、それぞれ正常時、R信号送信用ケーブル断線時、Ｇ信号送信用ケーブル断線時、Ｂ信号送信用ケーブル断線時における接続情報画像を示す図。
【図５】上記映像音声信号出力機器を用いて、どの映像音声信号出力機器がモニタ装置に映像信号を出力中であるかを知る方法の説明図。
【図６】上記映像音声信号出力機器を用いて、自機とモニタ装置とが別々の部屋にある場合でも、自機がモニタ装置側に現在信号を送信していることを、自機の傍にいるユーザに即座に知らせる方法の説明図。
【図７】本発明の第２の実施形態による映像音声信号出力機器の処理の説明図。
【符号の説明】
【００２８】
１    ディジタルＴＶ放送信号受信装置（映像音声信号出力機器）
３    モニタ装置（表示装置）
４    リモコン（操作手段）
１４  ＭＰＥＧデコーダ（再生手段）
１５  ＯＳＤ部（ＯＳＤ手段）
１６  制御部（制御手段）
１７  メモリ（記憶手段）
２４  テストキー
３２  ＶＧＡ端子（映像信号出力端子）
３４  左アナログ音声信号出力端子（左側音声信号出力端子）
３５  右アナログ音声信号出力端子（右側音声信号出力端子）
５１  接続情報画像（自機情報の表示画像）
５２  機器情報画像
５３  端子接続情報画像
６１  スピーカ（音声出力装置）
６２  スピーカ（音声出力装置）
【図１】
2005333293.tif 000003
【図２】
2005333293.tif 000004
【図３】
2005333293.tif 000005
【図４】
2005333293.tif 000006
【図５】
2005333293.tif 000007
【図６】
2005333293.tif 000008
【図７】
2005333293.tif 000009